(57)【要約】【課題】第１のデジタル情報コンテンツに付随する第２のデジタル情報コンテンツとして最新のデータを配信可能なシステムの実現。【解決手段】第１のＤＣを再生する再生器２ａと通信器２ｂとを備える再生装置２と、第１のＤＣに関連付けされた第２のＤＣが蓄積された第２のＤＣ蓄積器２０ａと通信器２０ｂとを備えるコンテンツ管理装置２０とを有する。再生装置２とコンテンツ管理装置２０とを通信回線１３を介して双方向通信可能に接続する。再生装置２は第１のＤＣの再生開始に際してコンテンツ管理装置２０に再生許可要求を送信する。コンテンツ管理装置２０は再生許可要求を受信すると、第１のＤＣの再生許可と、第２のＤＣ蓄積器２０ａから読み出した第２のＤＣとを再生装置２に送信する。再生器２は再生許可と第２のＤＣとを受信すると、第１のＤＣを第２のＤＣを付随させた状態で再生する。【選択図】図１
2005333453.tif 000002
【特許請求の範囲】
【請求項１】
第１のデジタル情報コンテンツ（以下、第１のＤＣという）を再生する再生器と通信器とを備える再生装置と、
前記第１のＤＣに関連付けされた第２のデジタル情報コンテンツ（以下、第２のＤＣという）が蓄積された第２のＤＣ蓄積器と通信器とを備えるコンテンツ管理装置と、
を有し、
前記再生装置の通信器と前記コンテンツ管理装置の通信器とを通信回線を介して双方向通信可能に接続し、
前記再生装置の通信器は、前記第１のＤＣの再生開始に際して前記コンテンツ管理装置に再生許可要求を送信し、
前記コンテンツ管理装置の通信器は、前記再生許可要求を受信すると、前記第１のＤＣの再生許可と、前記第２のＤＣ蓄積器から読み出した前記第２のＤＣとを前記再生装置に送信し、
かつ、前記再生器は、前記再生装置の通信器が前記再生許可と前記第２のＤＣとを受信すると、前記第１のＤＣを、前記第２のＤＣを付随させた状態で再生する、
ことを特徴とするデジタル情報コンテンツの配信システム。
【請求項２】
請求項１に記載のデジタル情報コンテンツの配信システムにおいて、
前記再生装置は、前記第１のＤＣを蓄積する第１のＤＣ蓄積器をさらに備え、当該再生装置は、前記第１のＤＣ蓄積器から読み出した前記第１のＤＣを再生する、
ことを特徴とするデジタル情報コンテンツの配信システム。
【請求項３】
請求項２に記載のデジタル情報コンテンツの配信システムにおいて、
前記第１のＤＣを、電波または有線で前記再生装置に配信する配信装置をさらに備え、
かつ、前記第１のＤＣ蓄積器は、前記配信装置から配信される前記第１のＤＣを蓄積する、
ことを特徴とするデジタル情報コンテンツの配信システム。
【請求項４】
請求項２または３に記載のデジタル情報コンテンツの配信システムにおいて、
前記第２のＤＣは、予め前記第１のＤＣに含まれた状態で前記第１のＤＣ蓄積器に蓄積されており、
前記第２のＤＣ蓄積器は、前記第２のＤＣの更新データを蓄積しており、
前記コンテンツ管理装置の通信器は、前記再生許可要求を受信すると前記第２のＤＣ蓄積器から前記第２のＤＣの更新データを読み出し、読み出した前記更新データと前記再生許可とを前記再生装置に送信し、
前記再生装置の通信器が前記再生許可と前記更新データとを受信すると、前記再生器は、前記第１のＤＣ蓄積器から読み出した前記第２のＤＣを前記更新データで更新したうえで、その更新第２のＤＣを付随させた状態で前記第１のＤＣを再生する、
ことを特徴とするデジタル情報コンテンツの配信システム。
【請求項５】
請求項２または３に記載のデジタル情報コンテンツの配信システムにおいて、
前記第２のＤＣは、予め前記第１のＤＣに含まれた状態で前記第１のＤＣ蓄積器に蓄積されており、
前記再生装置の通信器は、第２のＤＣの更新要求を定期的に前記コンテンツ管理装置に送信し、
前記第２のＤＣ蓄積器は、前記第２のＤＣの更新データを蓄積しており、
前記コンテンツ管理装置の通信器は、前記更新要求を受信すると、前記第２のＤＣの更新データを前記第２のＤＣ蓄積器から読み出して前記再生装置に送信し、
前記第１のＤＣ蓄積器は、前記再生装置の通信器が前記更新データを受信すると、蓄積している前記第２のＤＣを前記更新データで更新する、
ことを特徴とするデジタル情報コンテンツの配信システム。  
【請求項６】
請求項１ないし５のいずれかに記載のデジタル情報コンテンツの配信システムにおいて、
前記第２のＤＣ蓄積器は、複数の前記第２のＤＣを蓄積するものであり、
かつ、当該デジタル情報コンテンツの配信システムによって前記第２のＤＣを前記第１のＤＣに関連付けられた状態で前記再生装置に配信される権利（以下、配信権利という）の売買管理を行う売買管理器と、通信器とを備える売買管理装置と、
前記第２のＤＣの配信管理者が実施する前記配信権利の購入操作の管理を行う購入処理器と通信器とを備える注文管理装置と、
をさらに備えており、
前記売買管理装置の通信器と前記注文管理装置の通信器との間、および前記売買管理装置の通信器と前記コンテンツ管理装置の通信器との間を、それぞれ通信回線を介して双方向通信可能に接続し、
前記注文管理器は、自身が担当する前記第２のＤＣの配信管理者が設定する前記配信権利の購入価格を、前記注文管理装置の通信器を介して前記売買管理装置に送信し、
前記売買管理器は、前記売買管理装置の通信器を介して受信する前記配信権利の購入価格が最も高い前記注文管理装置が担当する前記第２のＤＣを前記第１のＤＣに関連付ける指示を、前記売買管理装置の通信器を介して前記コンテンツ管理装置に送信し、
前記コンテンツ管理装置は、前記コンテンツ管理装置の通信器を介して受信する指示に基づいて、前記第１のＤＣに関連付ける前記第２のＤＣを設定する、
ことを特徴とするデジタル情報コンテンツの配信システム。
【請求項７】
請求項６に記載のデジタル情報コンテンツの配信システムにおいて、
前記コンテンツ管理装置は、受信する前記再生許可要求に基づいて前記第１のＤＣの再生頻度を算定し、算定した前記再生頻度を前記コンテンツ管理装置の通信器を介して前記売買管理装置に送信し、
前記売買管理装置は、前記売買管理装置の通信器が受信する前記再生頻度を、前記通信回線を介して前記注文管理装置に公開する、
ことを特徴とするデジタル情報コンテンツの配信システム。
【請求項８】
請求項６または７に記載のデジタル情報コンテンツの配信システムにおいて、
一つの前記第１のＤＣに関連付けられた前記第２のＤＣは、複数に分割可能であり、
前記第２のＤＣはその分割数に等しい数のデジタルコンテンツを含む、
ことを特徴とするデジタル情報コンテンツの配信システム。
【請求項９】
請求項１に記載のデジタル情報コンテンツの配信システムにおいて、
前記コンテンツ管理装置は、前記第１のＤＣと前記第２のＤＣとの対応テーブルを有しており、前記第２のＤＣの変更毎に前記対応テーブルを更新し、更新する前記対応テーブルに基づいて前記第２のＤＣを特定する、
ことを特徴とするデジタル情報コンテンツの配信システム。
【請求項１０】
前記再生装置に対応する経済的価値管理器と通信器とを有する経済的価値管理装置をさらに備え、
前記経済的価値管理装置の通信器を、通信回線を介して前記コンテンツ管理装置に双方向通信可能に接続し、
かつ、前記第２のＤＣの再生動作／再生削除動作にそれぞれ経済的価値を設定し、前記動作を実行する際に、その動作に対して設定した経済的価値を前記コンテンツ管理装置の通信器と前記経済的価値管理装置の通信器との間で通信授受する、
ことを特徴とするデジタル情報コンテンツの配信システム。
【請求項１１】
前記コンテンツ管理装置は、前記再生許可の発行毎に異なる番号を前記再生装置に発行するととともに、特定の日時に経済的価値付与番号をランダムに設定し、
前記設定する前記経済的価値付与番号に一致する前記番号を発行した前記再生装置を特定し、特定した前記再生装置に対応する前記経済的価値管理装置に経済的価値を付与する、
ことを特徴とするデジタル情報コンテンツの配信システム。
【請求項１２】
請求項１ないし１１のいずれかに記載のデジタル情報コンテンツの配信システムにおいて、
前記第１のＤＣはＴＶ番組や映画やゲームであり、第２のＤＣは、前記第１のＤＣに付随して設定される広告コンテンツである、
ことを特徴とするデジタル情報コンテンツの配信システム。
【発明の詳細な説明】
【技術分野】
【０００１】
本発明は、ＴＶ番組、ラジオ番組、映画、音楽などの経済的価値を有するデジタル情報コンテンツをＨＤＤやＤＶＤなどの大容量蓄積再生装に配信して蓄積・再生させるシステムに関し、より特定的には、既に蓄積されたデジタル情報コンテンツに対しても経済的価値を維持させ、再生毎に最新ＣＭなどをダウンロードして効果的なＣＭを視聴者に提供するシステムに関する。
【背景技術】
【０００２】
ＴＶ番組、ラジオ番組、映画、音楽などのデジタル情報コンテンツは、電波あるいはケーブルなどの放送メディアを介して放送される。その際、スポンサーの広告コンテンツ（コマーシャルメッセージ：以下、ＣＭと略す）が同時配信されており、視聴者はＣＭを視聴することを条件として前記デジタル情報コンテンツを無料で視聴することができる。ここでいうスポンサーとは、当該スポンサーが準備したＣＭをそのデジタル情報コンテンツに添付して同時配信することを条件として、デジタル情報コンテンツの作製・配信に資金的援助を行う個人または法人をいう。
【０００３】
最近では、ＨＤＤやＤＶＤなどの大容量蓄積再生装置の出現によって、前記デジタル情報コンテンツを放送時に視聴せず、それを一旦前記大容量蓄積再生装置に蓄積しておいて後に視聴するライフスタイルが徐々に一般化している。また、視聴者のお気に入りのデジタル情報コンテンツの場合は長期にわたって蓄積され、複数回にわたって再生・視聴される場合が多い。
【０００４】
放送時に前記デジタル情報コンテンツを視聴する場合、例えば、ＴＶ番組などを放送局が放送する場合では、タイムリーで効果的なＣＭを提供できるうえ、視聴者はＣＭをカットしたり早送りすることができない。したがって、その場合のＣＭ効果は大きい。しかし、前記大容量蓄積再生装置で蓄積した後、再生するのが一般的になると、放送時にはタイムリーで効果的であったＣＭでも再生時には時機を逸した不適当なＣＭになることがある。あるいは、そのデジタル情報コンテンツのスポンサー自体が再生時には放送時から替わる場合もある。また、視聴者が繰り返し再生する場合には、再生するたびに同じＣＭでは視聴者に飽きられてＣＭがカットされたり早送りされたりする場合もある。このように、デジタル情報コンテンツを大容量蓄積レコーダーで蓄積した後に再生するという視聴形態では、デジタル情報コンテンツに添付されるＣＭの広告効果が低下することがある。
【０００５】
ＣＭの広告効果が低下すると、ＣＭ自身の経済的価値が低する結果、前記デジタル情報コンテンツに対するスポンサーの資金援助額が減少してその作製費用が抑制される。デジタル情報コンテンツの作製費用が抑制される状況では、創作意欲も低下するので、結果的にはデジタル情報コンテンツ作製側からの前記蓄積再生装置の普及に対する協力が得られない。このような事態は、デジタル情報コンテンツの配信業界の発展にとって大きな障害となる。
【０００６】
ＣＭを効果的に視聴者に提供するシステムとしては、視聴者宅と放送局とを有線で結んだうえで、視聴者が放送局に放送済のＴＶ番組を要求した際、前記放送済ＴＶ番組を配信するととともに、ＴＶ番組に同時に配信するＣＭを放送局側で任意に選択したうえで配信する構成がある。（例えば、特許文献１参照）
【０００７】
また、視聴者からの要求のあったデジタル情報コンテンツを放送局から配信する際、まずＣＭを視聴者宅に配信し、視聴者が前記ＣＭを確実に見たことを確認した後、前記デジタル情報コンテンツを配信するものもある。（例えば、特許文献２参照）
【０００８】
また、あらかじめ視聴者毎の個人データ-を放送局に登録しておき、前記登録済みの個人データに基づいて選択されたＣＭを視聴者へ配信するものもある。（例えば、特許文献３参照）
【特許文献１】特開２００２−６４８０１（第１図）
【特許文献２】特開２００２−８４４８５（第１図）
【特許文献３】特開２００３−８７８２５（第１図）
【発明の開示】
【発明が解決しようとする課題】
【０００９】
しかしながら、上記従来の方法では、視聴者宅の大容量蓄積再生装置によるデジタル情報コンテンツの蓄積を前提としていないため、視聴者が放送済みＴＶ番組（デジタル情報コンテンツ）を視聴するプロセスを放送局が管理することができないために、デジタル情報コンテンツに添付されるＣＭの広告効果が低下するのは否めない。
【００１０】
本発明は、視聴者宅に蓄積されたデジタル情報コンテンツに対しても経済的価値を維持させ、再生毎に最新ＣＭなどをダウンロードして効果的なＣＭを視聴者に提供することを目的とする。
【課題を解決するための手段】
【００１１】
この目的を達成するために本発明は、電波あるいは有線で配信されるＴＶ番組などの第１のＤＣを再生する機能と通信機能を有する視聴者側の再生装置と、通信機能を有し前記視聴者宅の再生装置からの前記ＴＶ番組のスポンサー（ＣＭ権利者）の参照に対してＣＭなどの第２のＤＣを再生装置に送信するコンテンツ管理装置と、視聴者宅での前記第１のＤＣの再生頻度を公開して前記第２のＤＣの配信権利の売買を管理する売買管理装置と、これらの装置を相互通信可能に接続するインターネット等の通信回線とを備える。
【００１２】
そして、第２のＤＣ（ＣＭ）を受信した前記再生装置は第２のＤＣを第１のＤＣ（ＴＶ番組等）に付随させて再生する。
【００１３】
このように、本発明によれば、視聴者宅で再生される第１のＤＣの再生を外部のＣＭ管理者が管理でき、視聴者が第１のＤＣを再生するたびに第１のＤＣのＣＭ権利者の最新ＣＭをインターネットで配信することで第１のＤＣに効果的な第２のＤＣを付随させることができて、第２のＤＣの経済的価値が高まる。
【発明の効果】
【００１４】
本発明は、視聴者宅で再生される第１のＤＣ（デジタル情報コンテンツ）の再生毎に最新の第２のＤＣ（ＣＭ）を提供できるという効果を有する。
【発明を実施するための最良の形態】
【００１５】
以下、本発明の実施の形態を、図面を参照しながら説明する。
【００１６】
（実施の形態１）
図１は、本発明の実施の形態１であって、デジタル情報コンテンツ放送時にＣＭが付随せず、再生時にＣＭが付与される場合のデジタル情報コンテンツの配信システムの概要図である。
【００１７】
本実施の形態のデジタル情報コンテンツの配信システム１は、図１に示すように、配信装置として機能する放送局１０と、コンテンツ管理装置２０と、再生装置２と、経済的価値管理装置３０と、売買管理装置４０と、注文管理装置５０とを備える。
【００１８】
放送局１０は、ＴＶ番組や映画やドラマなどの第１のデジタル情報コンテンツ（以下、第１のＤＣという）を、図示しない第１のＤＣデータベースに格納しており、第１のＤＣデータベースから第１のＤＣを読み出して電波や有線（実施の形態１では電波）を伝送媒体にして再生装置２に向けて配信する。
【００１９】
コンテンツ管理装置２０は、放送局１０による第１のＤＣの配信業務に関連付けされた状態で管理運営されており、第２のＤＣ蓄積器２０ａと通信器２０ｂとを備える。第２のＤＣ蓄積器２０ａは、第２のデジタル情報コンテンツ（以下、第２のＤＣという）を蓄積管理する。通信器２０ｂは、インターネット１３に対して相互通信可能なインターネットプロトコル（ＩＰ）通信機能を有する。インターネット（インターネット回線）１３は、通信回線の一例である。本発明における通信回線としては、インターネット１３のほか、有線回線や光通信回線も含まれる。
【００２０】
第２のＤＣは、第１のＤＣに対応付けられたデジタル情報コンテンツであって、具体的には、ＴＶ番組や映画やドラマなどのデジタル情報コンテンツからなる第１のＤＣのスポンサーが用意するデジタル広告コンテンツ（以下、ＣＭと略す）であって、スポンサーの意図に基づいて第２のＤＣ蓄積器２０ａに予め格納されている。ここで、スポンサーとは、当該スポンサーが準備する第２のＤＣ（＝ＣＭ）を第１のＤＣに添付して同時配信することを条件として、第１のＤＣの作製・配信に資金的援助を行う個人、法人ないし組織をいう。
【００２１】
さらに、第２のＤＣ蓄積器２０ａは、第１のＤＣと第２のＤＣとの間の対応テーブル１２を有している。対応テーブル１２は、第１のＤＣと第２のＤＣとの対応付けを行う表形態のデータである。
【００２２】
再生装置２は、複数ある視聴者宅１それぞれに設けられており、第１のＤＣ蓄積器２ａと再生器２ｂと通信器２ｃとを備える。視聴者宅１には受信アンテナ９が設けられる。第１のＤＣ蓄積器２ａは、放送局１０から電波で配信される第１のＤＣを受信アンテナ９で受信して蓄積する。再生器２ｂは、第１のＤＣ蓄積器２ａから読み出した第１のＤＣや、後述する方法で享受する第２のＤＣを再生する。通信器２ｃは、インターネット１３に対して相互通信可能なインターネットプロトコル（ＩＰ）通信機能を有する。
【００２３】
視聴者宅１には、映像や音声や臭気や触覚や味覚などの五感を刺激するｍ（ｍは１以上の正の整数）個のＡＶ出力装置（ＴＶ１〜ＴＶｍ）３と、経済的価値管理装置３０と、視聴者宅内ＬＡＮ６と、視聴者宅内ＬＡＮ６の集積装置（以下、ＨＵＢと略す）７と、視聴者宅ＬＡＮ６をインターネット１３に接続するゲートウェイ（以下、ＧＷと略す）８と、電波受信用アンテナ９とを有する。ＡＶ出力装置３は、例えば、映像表示装置や音声発声装置等から構成されるが、この実施の形態では映像表示装置からＡＶ出力装置３が構成される。視聴者宅内ＬＡＮ６は、視聴者宅再生装置２とＡＶ出力装置３と経済的価値管理装置４とを相互通信可能に接続する。
【００２４】
経済的価値管理装置３０は、経済的価値管理器３０ａと通信器３０ｂとを備える。経済的価値管理器３０ａは、各再生装置２に一対一に対応しても設けられており、コンテンツ管理装置２０との間で経済的価値（具体的には金銭データや商品引き換え権データ等の経済的価値を発生させるデータ）の授受管理を行う。通信器３０ｂは、インターネット１３に対して相互通信可能なインターネットプロトコル（ＩＰ）通信機能を有する。
【００２５】
売買管理装置４０は、売買管理器４０ａと通信器４０ｂとを備える。デジタル情報コンテンツの配信システムによって第２のＤＣを再生装置２に配信する権利（以下、第２のＤＣの配信権利という）の売買管理を行う。通信器４０ｂは、インターネット１３に対して相互通信可能なインターネットプロトコル（ＩＰ）通信機能を有する。売買管理器４０ａは、第１のＤＣの権利売買市場公開データ１４をインターネット１３を介して注文管理装置５０に公開している。
【００２６】
権利売買市場公開データ１４は次のデータ構成を有する。各第１のＤＣには、その第１のＤＣに関連付ける第２のＤＣを設定できる権利、さらに言えば、その第１のＤＣに付随して第２のＤＣを設定して各再生装置２に配信できる権利が設定されている。以下、このような権利を第２のＤＣの配信権利という。スポンサーは、各第１のＤＣの再生頻度等を参考にして、所望する第１のＤＣに関連付けられた第２のＤＣの配信権利を購入する。第２のＤＣの配信権利は経済的価値（金銭等）を代償にして獲得される。
【００２７】
権利売買市場公開データ１４は、前記第２のＤＣの配信権利を獲得している第２のＤＣの管理者（スポンサー）が、その配信権利を売るに出す場合における売値価格（最小売値）と、その権利を買う意思のあるスポンサー候補の買値価格（希望購入価格）とを対応させた一覧データを、全ての第１のＤＣについて開示したデータからなる。
【００２８】
権利売買市場公開データ１４は、売買管理装置４０において、全ての注文管理装置５０に対してインターネット１３を介して公開される。さらには、権利売買市場公開データ１４には、各再生装置２（視聴者宅１）での第１のＤＣの再生頻度（視聴率等）も人気度数として公開される。これにより、売買管理器４０ａは、第１のＤＣの権利売買市場を成立させる。再生頻度（人気度数）は、コンテンツ管理装置２０により算定されて売買管理装置４０に送信提示される。
【００２９】
注文管理装置５０は、注文管理器５０ａと、通信器５０ｂとを有する。注文管理器５０ａは、第１のＤＣのスポンサー候補である第２のＤＣの管理者が実施する第２のＤＣの配信権利の購入操作の管理を行う。本実施形態では、第２のＤＣは複数設定可能となっており、それに伴い注文管理装置５０は複数設けられる。
【００３０】
なお、放送局１０は、第１のＤＣを送信する電波送信用アンテナ１１を有する。放送局１０は、図示しない第１のＤＣ格納器を備えており、この第１のＤＣ格納器には、ｎ（整数）個の第１のＤＣ（第１のＤＣ（１）〜第１のＤＣ（ｎ））が格納されている。各第１のＤＣは、スポンサー（ＣＭ権利者）およびそのスポンサーが準備する第２のＤＣ（ＣＭ）に関連付けられている。第２のＤＣ蓄積器２０ａは、第１のＤＣのスポンサー候補である全ての第２のＤＣの配信管理者が準備する第２のＤＣそれぞれを格納している。コンテンツ管理装置２０が有する対応テーブル１２は、各第１のＤＣと、そのスポンサー（第２のＤＣの配信権利者）およびそのＣＭを構成する第２のＤＣとを関連付けするデータが格納されている。
【００３１】
以下、本実施形態のデジタル情報コンテンツの配信システムによるデジタル情報コンテンツの配信および再生操作を説明する。配信および再生の操作は、以下の説明の文頭に付された数字の順に各操作が実施される。
【００３２】
１．放送局１０は任意の第１のＤＣ（ｎ）（ｎは、１以上の任意の正の整数）を決まったスケジュールで送信用アンテナ１１から各視聴者宅１へ配信（放送）する。配信はスケジュールに沿って順次、もしくは一括に実施される。第１のＤＣの配信は、上記スケジュールに沿って順次行われる結果、ｎ個の第１のＤＣ（１〜ｎ）が視聴者宅１に配信される。
【００３３】
２．視聴者宅１では受信用アンテナ９で上記スケジュールに沿って受信したｎ個の第１のＤＣ（１〜ｎ）を再生装置２の第１のＤＣ蓄積器２ａに蓄積する。
【００３４】
３．視聴者が第１のＤＣ蓄積器２ａに蓄積したｎ個の第１のＤＣ（１〜ｎ）の中から任意の第１のＤＣ（ｋ）を選択してその再生指示を、第ｍ番目のＡＶ出力装置（ＴＶｍ）３に入力する。すると、ＡＶ出力装置（ＴＶｍ）３はその再生指示を再生装置２に伝達する。伝達は視聴者宅内ＬＡＮ６を通じて行われる。
【００３５】
４．ＡＶ出力装置（ＴＶｍ）３からの第１のＤＣ（ｋ）の再生指示を受けた再生装置２の通信器２ｃは、インターネット１３を介してコンテンツ管理装置２０に第１のＤＣ（ｋ）の再生許可要求を送信する。
【００３６】
５．複数ある再生装置２のうちの任意の装置２から第１のＤＣ（ｋ）の再生許可要求を受信したコンテンツ管理装置２０は、再生許可要求のあった第１のＤＣ（ｋ）を対応テーブル１２に参照することで、第１のＤＣ（ｋ）に関連付けられたスポンサーと第２のＤＣ（ｋ）とを特定する。ここで第１のＤＣ（ｋ）に関連付けられたスポンサーと第２のＤＣ（ｋ）とは、第１のＤＣ（ｋ）に関連付けられた第２のＤＣの配信権利者であり、その配信権利者が準備して第２のＤＣ蓄積器２０ａに格納させている最新の第２のＤＣ（ｋ）である。
【００３７】
６．コンテンツ管理装置２０は、特定した第２のＤＣ（ｋ）を第２のＤＣ蓄積器２０ａから読み出し、読み出した第２のＤＣ（ｋ）と、第１のＤＣ（ｋ）の再生許可とを、再生許可要求を送信した再生装置２に送信する。送信はインターネット１３を介して行われる。
【００３８】
７．第２のＤＣ（ｋ）と再生許可とを受信した再生装置２の通信器２ｃは、再生許可と第２のＤＣ（ｋ）とを再生器２ｂに伝送する。再生許可と第２のＤＣ（ｋ）とを受けた再生器２ｂは、第１のＤＣ蓄積器２ａから第１のＤＣ（ｋ）を読み出し、読み出した第１のＤＣ（ｋ）に第２のＤＣ（ｋ）を付随させた状態で再生する。
【００３９】
８．再生器２ｂは上記再生出力を、視聴者宅内ＬＡＮ６を介してＡＶ出力装置（ＴＶｍ）３に出力し、ＡＶ出力装置（ＴＶｍ）３は、伝送された再生出力（第１のＤＣ（ｋ）＋第２のＤＣ（ｋ））を表示する。
【００４０】
第１のＤＣ（ｋ）は、視聴者宅１の再生装置２の第１のＤＣ蓄積器２ａにおいて蓄積されたのち再生される、という再生形態をとるために、その配信時点と再生時点との間に比較的大きな時間的隔たりが生じる場合がある。本実施形態の情報コンテンツの配信システムでは、そのような場合であっても、再生時には、第１のＤＣのスポンサーが用意した最新の第２のＤＣ（ｋ）を付随させた状態で、各視聴者宅１で再生させることが可能となる。
【００４１】
なお、上述した説明では、一つの第１のＤＣに対して、一つの第２のＤＣ（スポンサー）を関連付けて対応テーブル１２に登録していた。しかしながら、一つの第１のＤＣに対して、複数の第２のＤＣ（スポンサー）を関連付けて対応テーブル１２に登録してもよいのはいうまでもない。
【００４２】
以下、第２のＤＣの配信権利（第１のＤＣのＣＭ権利）の売買を説明する。図２は本実施形態の情報コンテンツ配信システムにおける配信権利の売買構成だけを取り出した構成図であり、図３は売買管理装置４０における売買操作を示すフローチャートである。
【００４３】
図２に示すように、売買管理器４０ａは、売買状況公開サーバ４１と登録スポンサー候補管理サーバ４２とを備える。売買状況公開サーバ４１は、各第１のＤＣの権利売買市場公開データ１４を格納して管理しており、さらには、格納している権利売買市場公開データ１４を、インターネット１３を介して注文管理装置５０に公開している。登録スポンサー候補管理サーバ４２は、予め登録しているスポンサー候補の登録ＩＤを格納している。
【００４４】
以下の説明では、現在、第１のＤＣ（１）に関連付けられた第２のＤＣ（１）の配信権利（ＣＭ権利）をスポンサー（１）が獲得していると仮定している。なお、以下の説明および図２、図３では、第２のＤＣの配信権利（ＣＭ権利）を獲得する前の各スポンサーについてはスポンサー候補と称し、獲得後のスポンサーと区別している。
【００４５】
まず、各スポンサー候補は、注文管理装置５０を介して、売買管理装置４０にスポンサー候補登録を行うことで、売買管理装置４０からスポンサー候補ＩＤを取得する。各スポンサー候補が取得したスポンサー候補ＩＤは注文管理装置５０に登録されるとともに、売買管理装置４０の登録スポンサー候補管理サーバ４２に登録される。
【００４６】
以上の準備を実施したのち、スポンサー（１）が、自身が所有している第１のＤＣ（１）のＣＭ権利（第１のＤＣ（１）に関連付けられた第２のＤＣ（１）の配信権利）を売りに出す決心をした場合、スポンサー（１）は、自身が管理している注文管理装置５０（１）に第２のＤＣ（１）の配信権利の売り注文を入力する。売り注文は、注文管理装置５０が有する入力装置（図示省略）を介して行われる。その際、スポンサー（１）は、売値を同時に入力する。売値はこれ以上低い価格では売らないというスポンサー（１）の意思である売値最小値を示す。入力された売り注文は、注文管理装置５０に登録されたスポンサー候補ＩＤとともに、注文管理装置５０の通信器５０ｂからインターネット１３を介して売買管理装置４０の通信器４０ｂに送信される。
【００４７】
売買管理器４０ａは、通信器４０ｂにおいて各注文管理装置５０から売り注文を受信するか否かを常時監視している（Ｓ１０１）。売り注文を受けたことを検知した売買管理器４０ａは、受信した売り注文発注者のＩＤ（スポンサー候補ＩＤ）を登録スポンサー候補管理サーバ４２に問い合わせることで、その売り注文を送ってきた注文管理装置５０（スポンサー候補）が登録スポンサー候補であるか否かを判断する（Ｓ１０２）。
【００４８】
売り注文主（注文管理装置５０）が登録スポンサー候補でないと判断する場合、売買管理器４０ａは、その売り注文を無視したうえで、売り注文の受信監視（Ｓ１０１）に戻る。
【００４９】
売り注文主（注文管理装置５０）が登録スポンサー候補であると判断する場合、売買管理器４０ａは、売り注文主（注文管理装置５０）と売値とを対応付けて売買状況公開サーバ４１の権利売買市場公開データ１４に登録する（Ｓ１０３）。権利売買市場公開データ１４は、注文管理装置５０に対してインターネット１３を介して閲覧可能に公開される。さらに、売買管理器４０ａは、各登録スポンサー候補が管理している各注文管理装置５０（スポンサー候補）に、第１のＤＣ（１）に関連付けて第２のＤＣを配信する権利（第２のＤＣの配信権利）が売りに出されている（売り注文が出されている）ことを告知する（Ｓ１０４）。告知は、例えば、インターネット１３を介したメール配信により各注文管理装置５０に告知される。
【００５０】
上記売り注文の告知を受けた注文管理装置５０では、その売り注文の告知を表示等の手段によってスポンサー候補（厳密にはその装置５０を管理しているスポンサー候補）に提示したうえで、そのスポンサー候補によって上記第２のＤＣの配信権利の買い注文が買値とともに注文管理装置５０に入力されるか否かを監視する。スポンサー候補は、公開されている第１のＤＣ（１）の権利売買市場公開データ１４（特に、再生頻度を示す人気度データ）を閲覧して、売り注文が出されている第１のＤＣ（１）の第２のＤＣの配信権利（ＣＭ権利）に対して、買い注文を出すか否かを判断する。
【００５１】
注文管理装置５０は、スポンサー候補により買い注文が入力されたか否かを監視し、買い注文が入力されたことを検知すると、その買い注文を、買値とともに通信器５０ｂを介して売買管理装置４０に送信する。
【００５２】
売買管理装置４０では、売り注文の告知（Ｓ１０４）を行ったのち、注文管理装置５０から買い注文を受信するか否かを監視する（Ｓ１０５）買い注文を受けたことを検知した売買管理器４０ａは、受信した買い注文発注者のＩＤ（スポンサー候補ＩＤ）を登録スポンサー候補管理サーバ４２に問い合わせることで、その買い注文を送ってきた注文管理装置５０（スポンサー候補）が登録スポンサー候補であるか否かを判断する（Ｓ１０６）。
【００５３】
買い注文主（注文管理装置５０）が登録スポンサー候補でないと判断する場合、売買管理器４０ａは、その売り注文を無視したうえで、買い注文の受信監視（Ｓ１０５）に戻る。
【００５４】
買い注文主（注文管理装置５０）が登録スポンサー候補であると判断する場合、売買管理器４０ａは、買い注文主（注文管理装置５０）と買値とを対応付けて売買状況公開サーバ４１の権利売買市場公開データ１４に登録する（Ｓ１０７）。権利売買市場公開データ１４は、注文管理装置５０に対してインターネット１３を介して閲覧可能に公開される。
【００５５】
売買注文主は、注文管理装置５０を介して、上記売り買いデータの登録内容（入札内容）を監視し、必要な場合には、売買注文データ（具体的には売買価格データ）の変更を行う（Ｓ１０８）。変更データは、上述したＳ１０１〜Ｓ１０７のステップを踏むことで、権利売買市場公開データ１４に登録される。したがって、売買注文主は、注文管理装置５０を介して自身の登録注文内容を確認したうえで、その注文内容では売買が成立しないと判断する場合には、売買注文データを変更することで売買の成立を促進させることができる。
【００５６】
売買管理装置４０では、以上の売買注文データの登録・変更の監視を行い、入札終了時間が経過したのち、売買が成立したが否かを判断する（Ｓ１０９）。売買の成立判断は、売り注文主が設定した売値を、上回る買値が登録されたか否か（売値≦買値）で行われる。なお、売値を上回る買値が複数設定された場合には、最高値を登録した買い注文主を買い主と判断する。
【００５７】
Ｓ１０９で売買が成立しないと判断する場合、売買管理装置４０は、売り注文主の注文管理装置５０と、買い注文主の注文管理装置５０とに、売買不成立を告知する（Ｓ１１０）。
【００５８】
一方、Ｓ１０９で売買が成立したと判断する場合、売買管理装置４０は、売り注文主の注文管理装置５０と、買い主（落札者）の注文管理装置５０とに、売買成立を告知する（Ｓ１１１）。
【００５９】
売買成立の告知を行ったのち、売買管理装置４０は、第１のＤＣ（１）の新たなスポンサーをコンテンツ管理装置２０に通知する。図２では、第１のＤＣ（１）の買値として、最も高値（＃１０１０）を登録したスポンサー候補（３）が第１のＤＣ（１）の新たなスポンサーとしてコンテンツ管理装置２０に通知される（Ｓ１１２）。新スポンサーの通知（Ｓ１１２）の完了をもって、売買管理装置４０における第１のＤＣの新スポンサー入札操作は終了する。
【００６０】
一方、第１のＤＣ（１）の新たなスポンサー（３）を通知されたコンテンツ管理装置２０では、第２のＤＣ蓄積器２０ａが有する対応テーブル１２において、第１のＤＣ（１）に対応付けられたスポンサーをスポンサー（１）からスポンサー（３）に変更する。そのため、スポンサー変更以降は、スポンサー（３）が準備して第２のＤＣ蓄積器２０ａに格納している第２のＤＣ（３）が、第１のＤＣ（１）を再生する再生装置２にダウンロードされることになる。したがって、再生装置２による第１のＤＣ（１）の再生時には、第２のＤＣ（３）が第１のＤＣ（１）に関連付けされた状態で再生される。
【００６１】
なお、各第１のＤＣの第２のＤＣの配信権利（ＣＭ権利）を獲得したスポンサーは、第２のＤＣ蓄積器２０ａに格納する第２のＤＣを自由に変更することでができるうえ、その第２のＤＣ配信権利（ＣＭ権利）を他のスポンサー候補に一定期間貸し出すこともできる。その場合、貸主たるスポンサーは、第２のＤＣ蓄積器２０ａに対して、第２のＤＣ配信権利（ＣＭ権利）を他のスポンサー候補に貸し出した旨を通知する必要がある。通知を受理した第２のＤＣ蓄積器２０ａでは、対応テーブル１２にそのことを書き加えることで、第１のＤＣに関連付けされた第２のＤＣを登録された賃貸借契約通りに変更する。賃貸借の契約については、図２のフローチャートで説明した入札操作と同様の入札操作により入札する契約形態を採用してもよい。また、第２のＤＣ配信権利（ＣＭ権利）の賃貸借を実施する場合、その権利を複数に分割して、各分割権利を貸し出してもよい。
【００６２】
上述した実施の形態の説明では、コンテンツ管理装置２０は放送局１０内に設けられていたが、コンテンツ管理装置２０を放送局１０とは別に設け、コンテンツ管理装置２０と放送局１０とをインターネット１３を介して双方向通信可能に接続してもよい。また、放送局１０は、第１のＤＣを電波配信（放送）だけでなく有線放送やインターネット配信でもって各視聴者宅１の再生装置２に配信してもよい。なお、配信される第１のＤＣには、第２のＤＣ（ＣＭ）に関する問い合わせ先（アドレス）情報が含まれているのが好ましい。
【００６３】
視聴者宅１における再生装置２による第１のＤＣの蓄積方法としては、事前に視聴者宅１に紙ベースあるいは電子データベースで配信されたスケジュールに従って視聴者が蓄積する第１のＤＣを直接選択しても良い。また、視聴者の興味に関連する第１のＤＣを再生装置２が学習して自動的に第１のＤＣを選択・蓄積することもできる。また、再生装置２が、配信される全ての第１のＤＣを一旦第１のＤＣ蓄積器２ａに蓄積し、視聴者がキーワードやリンクなどの検索で再生したい第１のＤＣを選択し、複数の第１のＤＣの再生順序を再生装置２に指示することもできる。さらには、例えば、午前８：１５には特定のドラマが再生されるように個々の第１のＤＣについて再生する時間を指定することも可能である。配信される全第１のＤＣを一旦再生装置２で蓄積する場合における放送局１０での配信スケジュールとしては、就寝中あるいは視聴者が指定する時間内にドラマや映画やクイズ番組やお笑い番組などのリアルタイム性の必要のない第１のＤＣを配信し、それ以外の時間はニュースやスポーツ中継などのリアルタイム性が要求される第１のＤＣを配信すれば効率が良い。
【００６４】
このように、視聴者は第１のＤＣの視聴時に、その第１のＤＣに関連付けられた第２のＤＣを強制的に視聴することにより無料で第１のＤＣを視聴できる。しかしながら、経済的価値管理装置４から、インターネット１３を介して金銭的価値をコンテンツ管理装置２０に送信（送金）すれば、その第１のＤＣに関連付けられた第２のＤＣの早送りや再生中止（再生削除動作）など、第２のＤＣの視聴を短縮もしくは省略することができる。反対に、第２のＤＣによれる広告効果を高めるために、第２のＤＣ視聴（再生動作）毎に、コンテンツ管理装置２０から各視聴者宅１の経済的価値管理装置４に金銭的価値を付与したり、第２のＤＣ再生毎にコンテンツ管理装置２０から各視聴者宅１の経済的価値管理装置４にランダムに番号を割り当てて送信して経済的価値管理装置４に記憶させたうえで、一定期間毎に、抽選で経済的価値を付与する番号を決定する。そして、経済的価値を付与した番号に一致する番号を割り当てた経済的価値管理装置４にコンテンツ管理装置２０から経済的価値を送信（送金）してもよい。そうすれば、第２のＤＣの視聴にギャンブル性を持たせて視聴者の第２のＤＣ（ＣＭ）視聴意欲を促進することもできる。なお、経済的価値管理装置４としては、例えば、金銭的価値の登録媒体としてＩＣカードを用いた装置が挙げられる。その場合、接触型あるいは非接触型のＩＣカード書換装置から経済的価値管理装置４を構成することができる。携帯端末と電磁波を介した金銭的価値情報の授受を行う装置から経済的価値管理装置４を構成することもできる。さらには、ＩＰアドレスを付与されてインターネット１３に繋がる端末装置から経済的価値管理装置４を構成することもできる。
【００６５】
次に、視聴者宅内ＬＡＮ６のプロトコルについて説明する。通信プロトコルの種類は数多くてどのような構成であっても通信することは可能であるが、統一あるいは互換性が保証されてこそ意味がある。標準的（デファクトスタンダード）なプロトコルは時代によって変化するものであるが、ここでは現時点で最も経済的、技術的に有利な構成について説明する。視聴者宅内ＬＡＮ６の物理層としては、無線（伝送能力約１００Ｍｂｐｓ）や、電灯線（約１５０Ｍｂｐｓ）、同軸ケーブル（約２９０Ｍｂｐｓ）、光ファイバー（約１０Ｇｂｐｓ）、ペア線（約１００Ｍｂｐｓ）などの有線を使用するイーサネット（登録商標）が最も普及しており経済的に有利である。ただし、上記メディアの中で光ファイバーは、幹線系で使用されるシングルモード（ＳＭ）の場合は１０Ｇｂｐｓ以上でも可能であるが、ＬＡＮなどの約１ｋｍ以下ではマルチモード（ＭＭ）が一般的である。ＭＭ光ファイバーでもＳｔｅｐ−Ｉｎｄｅｘ（ＳＩ）型は伝送能力は約２５０Ｍｂｐｓ程度までであるが、Ｇｒａｄｅｄ−Ｉｎｄｅｘ（ＧＩ）型では１０Ｇｂｐｓまで可能である。インターネット層はＩｎｔｅｒｎｅｔ  Ｐｒｏｔｏｃｏｌ（ＩＰ）を使用するのが経済的に有利であるが、トランスポート層では第１、第２のＤＣＣによっては、主にＴｒａｎｓｍｉｓｓｉｏｎ  Ｃｏｎｔｒｏｌ  Ｐｒｏｔｏｃｏｌ（ＴＣＰ）とＵｓｅｒ  Ｄａｔａｇｒａｍ  Ｐｒｏｔｏｃｏｌ（ＵＤＰ）の２数類が使い分けら得る。すなわち、電子メールやホームページの閲覧やファイル転送などは長時間に渡って連続的にデータ伝送をするわけではなくネットワークへの負荷が小さいため、コネクションを確立するＴＣＰを使用する。この場合、物理層のメディアは何れでも問題無い。しかし、映画などの第１のＤＣの再生（伝送）などは１時間以上に渡って連続的に安定したデータ伝送をしなければならず、長時間に渡ってコネクションを確立するＴＣＰではネットワークに対する不可が大きいのでシステム上負荷の小さいＵＤＰを使用するのが有利である。ＵＤＰはデータ伝送を確認しない（コネクションを確立しない）ので物理的にデータ伝送に失敗すればデータが一部欠落した状態で第１のＤＣを再生することとなる。従って、物理的なデータ伝送の失敗の原因となるノイズや電磁波干渉などの外部環境に対して強い光ファイバーが好ましい。また、第１，第２のＤＣを視聴者宅外へ漏らすことは著作権に問題があるし、プライバシーも守れない。さらに、第１，第２のＤＣをＭＰＥＧなどで圧縮すれば１０ｍ程度の距離ならば１Ｇｂｐｓ以下の伝送容量でも高再生画像を伝送することは可能であるが、アクション映画やアクションゲームなどの動きの速い映像の場合は、圧縮すると映像が乱れるので圧縮することはできない。従って、ＬＡＮを使用して第１，第２のＤＣを再生するにはノイズに強くて約１０Ｇｂｐｓの伝送容量を有し経済的なＧＩ型光ファイバーを使用するのが最適である。もちろん、技術的にはＳＭ光ファイバーでも問題ない。
【００６６】
次に、光ファイバーを使用した光ＬＡＮについて説明する。光ＬＡＮのトポロジーはスター型、ループ（リング）型、バス型が可能であるが、接続装置数が業務用に比べて少ないことと通信エリアが狭いことから、スター型が最適である。スター型を構成する方法としてスターカプラーを使用する方法と、スイッチを使用する方式がある。ただし、スイッチを使用する方式はループ型の一種であるが、ループを光ＨＵＢと呼ばれる箱に収めて入出力線を前記光ＨＵＢから出せばスター型となる。当然、ループのまま配線しても問題は無い。
【００６７】
スターカプラーを使用した視聴者宅内光ＬＡＮ６は、図４に示すように、例えば４ポートの光スターカプラー１５で構成される光ＨＵＢ７Ａと光ＨＵＢ７Ｂとによって再生装置２（アドレス：abc.001）とＡＶ出力装置３Ａ(アドレス：abc.0012）とＡＶ出力装置３Ｂ（アドレス：abd.001）と経済的価値管理装置（ＩＣカード書換装置）４（アドレス：abd.003）とを相互通信可能に接続する。さらには、ＯＦＦ状態であるがカメラ２１（アドレス：abd.002）などのアドレスを有する全ての装置がＨＵＢ７Ａ，７Ｂに接続されている。ただし、ＡＶ出力装置３Ｂ（アドレス：abd.001）は入出力インターフェースが電気なので、メディアコンバーター（ＭＣ）２２を介して光ＨＵＢ７Ａに接続されている。各装置からの送信先アドレス内蔵出力信号は光ＨＵＢ７Ａのスターカプラー１５とＨＵＢ７Ｂのスターカプラー１５とによって視聴者宅内ＬＡＮ６に接続された全ての装置に送られ、送信先アドレスの装置にのみ受信される。当然、各装置の接続位置は任意に変更しても問題無い。そして視聴者宅内ＬＡＮ６内に送信先アドレスがない場合にはゲートウェイ（ＧＷ）８を介してインターネット１３に接続される。このようにして、ＡＶ出力装置３Ａ，３Ｂからの再生要求を再生装置２へ、再生装置２から再生第１のＤＣ（第２のＤＣを含む）をＡＶ出力装置３Ａ，３Ｂへ、再生装置２から第１のＤＣに関係する情報参照をコンテンツ管理装置２０へ、コンテンツ管理装置２０から最新の第２のＤＣを再生装置２へ、それぞれ送信される。
【００６８】
スイッチ１６を使用した視聴者宅内光ＬＡＮ６は、図５に示すように、例えば４ポートの光ＨＵＢ７Ｃ，７Ｄによって再生装置２（アドレス：abc.001）とＡＶ出力装置３Ｃ（アドレス：abc.002）とＡＶ出力装置３Ｄ（アドレス：abd.001）と経済的価値管理装置（ＩＣカード書換装置）４（アドレス：abd.003）だけでなく、ＯＦＦ状態であるがカメラ２１（アドレス：abd.002）などのアドレスを有する全ての装置がループ状に繋がっている。ただし、ＡＶ出力装置３Ｄ（アドレス：abd.001）は入出力インターフェースが電気なので、メディアコンバーター（ＭＣ）２２を介して光ＨＵＢ７Ｄに接続されている。各装置からの送信先アドレス内蔵出力信号は光ＨＵＢ７Ｃ，７ＤのスイッチのＯＮとＯＦＦによって視聴者宅内ＬＡＮ６に接続された全ての装置に送られて送信先アドレスの装置にのみ受信されるので、当然、各装置の接続位置は任意に変更しても問題無い。そして視聴者宅内ＬＡＮ６内に送信先アドレスがない場合にはゲートウェイ（ＧＷ）８を介してインターネット１３に接続される。このようにして、ＡＶ出力装置３Ｃ，３Ｄからの再生要求を再生装置２へ、再生装置２から再生第１のＤＣ（第２のＤＣ含む）をＡＶ出力装置３Ｃ，３Ｄへ、再生装置２から第１のＤＣに関係する情報参照をコンテンツ管理装置２０へ、コンテンツ管理装置２０から最新第２のＤＣを再生装置２へ、それぞれ送信される。ただし、上述した説明は１重のループ構成における構成の説明であったが、１重のループでは任意の個所で障害が起こればＬＡＮ全体が麻痺してしまいので、普通は２重ループを使用した堅剛なＬＡＮが使用される。
【００６９】
以上は、視聴者宅内ＬＡＮを２芯の光ファイバーケーブルで構成した場合であるが、１芯の光ファイバーで波長多重双方向通信しても良い。
【００７０】
（実施の形態２）
本発明の実施の形態２は、図６に示すように、放送されたＤＣが最初に蓄積されたレコーダーと再生する再生装置２が異なる場合である。例えば、関西地方と関東地方、あるいは日本と米国など放送エリアが異なれば配信される第２のＤＣも当然異なる。このような情報コンテンツの配信システムにおいて、本発明を実施したのが本実施形態である。
【００７１】
図６の構成は、視聴者宅１が、視聴者Ａ宅１Ａと、視聴者Ｂ宅１Ｂとの複数設定されただけであって、それ以外の構成は、基本的には図１のシステム構成と同じであるので、システム構成についての説明は省略する。以下、操作工程を説明する。ここでは、関東地方にある視聴者Ｂ宅１Ｂにおいて第１のＤＣ蓄積器２ａに蓄積した第１のＤＣを記録媒体（ＤＶＤ等）にインターネット１３を介して転送して視聴者Ａ宅１Ａの再生装置２で再生する場合を例にして本実施形態を説明する。
【００７２】
本実施形態を実施するうえで、各第１のＤＣのスポンサーは、各地方に適した第２のＤＣをそれぞれ用意し、これらの第２のＤＣを第２のＤＣ蓄積器２０ａに格納する。さらに対応テーブル１２には、第１のＤＣと、その第１のＤＣに対応する各地方毎の第２のＤＣ（第２のＤＣ蓄積器２０ａに格納されている）が対応付けられて記録されている。以上の準備処理が実施されたうえで、以下の操作が実施される。
【００７３】
１．関東地方を放送エリアとする放送局１０Ｂはｎ個の第１のＤＣを決まったスケジュールで電波送信用アンテナ１１から複数の視聴者宅１へ一斉配信（放送）する。
【００７４】
２．放送局１０Ｂの放送エリアに在る視聴者Ｂ宅１Ｂでは、受信用アンテナ９で受信したｎ個の第１のＤＣを再生装置２の第１のＤＣ蓄積器２ａにに一旦蓄積する。関西地方に在る視聴者Ａ宅１Ａの再生装置２には、当然上記第１のＤＣは蓄積されない。
【００７５】
３．視聴者Ａ宅１Ａでは、上記第１のＤＣに含まる第１のＤＣ（ｋ）を視聴するために視聴者Ｂ宅１Ｂの再生装置２に蓄積された第１のＤＣ（ｋ）をインターネットを介して視聴者Ａ宅１Ａの再生装置２に転送して第１のＤＣ蓄積器２ａに蓄積させる。
【００７６】
４．視聴者Ａ宅１Ａにある再生装置２の第１のＤＣ蓄積器２ａに蓄積された第１のＤＣ（ｋ）を再生して、第ｍ番目のＡＶ出力装置（ＴＶｍ）３で表示する場合、第１のＤＣ（ｋ）の再生指示がＡＶ出力装置（ＴＶｍ）３から再生装置２に伝達される。再生指示は視聴者Ａ宅内ＬＡＮ６を介して伝達される。
【００７７】
５．ＡＶ出力装置（ＴＶｍ）４からの第１のＤＣ（ｋ）の再生指示を受けた再生装置２の通信器２ｃは、インターネット１３を介してコンテンツ管理装置２０に第１のＤＣ（ｋ）の再生許可要求を送信する。再生許可要求は、視聴者Ａ宅１Ａ（再生装置２）の位置情報を添付した状態で送信される。
【００７８】
６．複数ある再生装置２のうちの任意の装置２から第１のＤＣ（ｋ）の再生許可要求を受信したコンテンツ管理装置２０は、再生許可要求のあった第１のＤＣ（ｋ）を対応テーブル１２に参照することで、第１のＤＣ（ｋ）に関連付けられたスポンサーと第２のＤＣ（ｋ）とを特定する。
【００７９】
７．コンテンツ管理装置２０は、特定した第２のＤＣ（ｋ）を第２のＤＣ蓄積器２０ａから読み出し、読み出した第２のＤＣ（ｋ）と第１のＤＣ（ｋ）の再生許可とを、再生許可要求を送信した再生装置２に送信する。送信はインターネット１３を介して行われる。ここで、コンテンツ管理装置２０は、再生許可要求を送信した再生装置２の設置位置（この場合は関西地方）を、再生許可要求に添付された位置情報から検知する。再生装置２の位置（関西地方）を検知したコンテンツ管理装置２０は、対応テーブル１２を照合することで、第１のＤＣ（ｋ）に対応する地方毎の第２のＤＣの中から特定した地方（この場合は関西地方）に対応して設定された第２のＤＣ（ｋ）を第２のＤＣ蓄積器２０ａから読み出して送信する。
【００８０】
８．第２のＤＣ（ｋ）と再生許可とを受信した再生装置２の通信器２ｃは、再生許可と第２のＤＣ（ｋ）とを再生器２ｂに伝送する。再生許可と第２のＤＣ（ｋ）とを受けた再生器２ｂは、第１のＤＣ蓄積器２ａから第１のＤＣ（ｋ）を読み出し、読み出した第１のＤＣ（ｋ）に第２のＤＣ（ｋ）を付随させた状態で再生する。
【００８１】
９．再生器２ｂは上記再生出力を、視聴者宅内ＬＡＮ６を介してＡＶ出力装置（ＴＶｍ）３に出力し、ＡＶ出力装置（ＴＶｍ）３は、伝送された再生出力（第１のＤＣ（ｋ）＋第２のＤＣ（ｋ））を表示する。
【００８２】
これにより、第１のＤＣの配信を受けてその第１のＤＣを第１のＤＣ蓄積器２ａに格納する再生装置２の設置場所と、実際に第１のＤＣを再生する再生装置２の設置場所とが異なる場合であっても、再生場所に最も適した第２のＤＣを付随させた状態で第１のＤＣを再生させることができる。
【００８３】
なお、視聴者Ａ宅１Ａでは、インターネットを介して視聴者Ｂ宅の再生装置２から視聴者Ａ宅のＴＶｍへ転送時にその転送時間とリアルタイムで再生することもできる。また、なお、視聴者Ｂ宅１Ａの再生装置２から視聴者Ａ宅１Ａの再生装置２に第１のＤＣを転送する方法としては、第１のＤＣを一旦ＤＶＤや半導体メモリーなどの携帯可能な記録媒体に記録したうえで視聴者Ｂ宅１Ｂから視聴者Ａ宅１Ａに移送してもよい。
【００８４】
第１のＤＣ（ｋ）のＣＭ権利者（第２のＤＣの配信権利者）が一地方（関東地方等）だけに適用する第２のＤＣの配信を希望する場合は、第１のＤＣ（ｋ）の他の地方（関西地方等）におけるＣＭ権利（第２のＤＣの配信権利）を全てあるいは部分的に他のスポンサー候補に譲渡することもできる。また、視聴者Ｂ宅１Ｂが日本で視聴者Ａ宅１Ａが米国等の外国である場合は、第１のＤＣ（ｋ）のＣＭ権利者（第２のＤＣ配信権利者）は、他の国（米国等）における第１のＤＣ（k）のＣＭ権利（第２のＤＣの配信権利）を全てあるいは部分的に他のスポンサー候補に譲渡することができる。また、ＣＭ権利は譲渡せず他の国版（米国版等）の第２のＤＣを第２のＤＣ蓄積器２０ａに蓄積したうえで他の国の再生装置２に配信しても良い。
【００８５】
（実施の形態３）
本実施形態は、放送時に第１のＤＣと一緒に第２のＤＣも配信（放送）される構成において本発明を実施している。本実施形態の構成は、実施の形態１における図１の構成と同じであるので、図１を参照して本実施形態を説明する。
【００８６】
この場合、第２のＤＣは、第１のＤＣの蓄積時において、同時に視聴者宅１の再生装置２（第１のＤＣ蓄積器２ａ）に蓄積されているが、
・放送時には効果的であった第２のＤＣ（ＣＭ）が第１のＤＣの再生時には時機を逸する、
・第１のＤＣの再生のたびに同じ第２のＤＣ（ＣＭ）では視聴者に飽きられれる、
・実施の形態２のように異なる放送エリアから本再生装置２に転送（移送）された第１のＤＣである場合には、その第１のＤＣに付随する第２のＤＣ（ＣＭ）自身に地域性が乏しい、
といった理由により、第１のＤＣ蓄積器２ａに第１のＤＣとともに蓄積された第２のＤＣでは、その再生時に広告効果が低い場合がある。
【００８７】
そのような場合を想定して、本実施形態では、次のようにしてデジタル情報コンテンツが配信される。
【００８８】
本実施形態を実施するうえで、各第１のＤＣのスポンサーは、各第２のＤＣを更新データを用意し、これらの第２のＤＣの更新データを第２のＤＣ蓄積器２０ａに格納する。以上の準備処理が実施されたうえで、以下の操作が実施される。
【００８９】
１．放送局１０は任意の第１のＤＣ（ｎ）（ｎは、１以上の任意の正の整数）を決まったスケジュールで送信用アンテナ１１から各視聴者宅１へ配信（放送）する。配信はスケジュールに沿って順次、もしくは一括に実施される。第１のＤＣの配信（放送）は、上記スケジュールに沿って順次行われる結果、ｎ個の第１のＤＣ（１〜ｎ）が視聴者宅１に配信される。その際、放送局１０は、第１のＤＣ（ｎ）それぞれに関連付けされた第２のＤＣ（１〜ｎ）を、第１のＤＣ（１〜ｎ）に含ませた状態で配信する。
【００９０】
２．視聴者宅１では受信用アンテナ９で上記スケジュールに沿って受信したｎ個の第１のＤＣ（１〜ｎ）を再生装置２の第１のＤＣ蓄積器２ａに蓄積する。その際、第２のＤＣ（１〜ｎ）も、第１のＤＣ（１〜ｎ）に関連付けされた状態で第１のＤＣ蓄積器２ａに格納される。
【００９１】
３．視聴者が第１のＤＣ蓄積器２ａに蓄積したｎ個の第１のＤＣ（１〜ｎ）の中から任意の第１のＤＣ（ｋ）を選択してその再生指示を、第ｍ番目のＡＶ出力装置（ＴＶｍ）３に入力すると、ＡＶ出力装置（ＴＶｍ）３はその再生指示を再生装置２に伝達する。伝達は視聴者宅内ＬＡＮ６を通じて行われる。
【００９２】
４．ＡＶ出力装置（ＴＶｍ）３からの第１のＤＣ（ｋ）の再生指示を受けた再生装置２の通信器２ｃは、インターネット１３を介してコンテンツ管理装置２０に第１のＤＣ（ｋ）の再生許可要求を送信する。
【００９３】
５．複数ある再生装置２のうちの任意の装置２から第１のＤＣ（ｋ）の再生許可要求を受信したコンテンツ管理装置２０は、再生許可要求のあった第１のＤＣ（ｋ）を対応テーブル１２に参照することで、第１のＤＣ（ｋ）に関連付けられたスポンサーと第２のＤＣ（ｋ）とを特定する。ここで第１のＤＣ（ｋ）に関連付けられた第２のＤＣ（ｋ）ととは、第１のＤＣ（ｋ）に関連付けられて、第１の第２のＤＣ蓄積器２０ａに格納させている第２のＤＣ（ｋ）の更新データである。
【００９４】
６．コンテンツ管理装置２０は、特定した第２のＤＣ（ｋ）の更新データを第２のＤＣ蓄積器２０ａから読み出し、読み出した第２のＤＣ（ｋ）の更新データと第１のＤＣ（ｋ）の再生許可とを、再生許可要求を送信した再生装置２に送信する。送信はインターネット１３を介して行われる。
【００９５】
７．第２のＤＣ（ｋ）の更新データと再生許可とを受信した再生装置２の通信器２ｃは、再生許可と第２のＤＣ（ｋ）の更新データとを再生器２ｂに伝送する。再生許可と第２のＤＣ（ｋ）の更新データとを受けた再生器２ｂは、第１のＤＣ蓄積器２ａから第１のＤＣ（ｋ）を読み出し、さらに、その第１のＤＣ（ｋ）に含まれる第２のＤＣ（ｋ）を、第２のＤＣ（ｋ）の更新データにより更新したうえで、これら第１のＤＣ（ｋ）と第２のＤＣ（ｋ）［更新済］とを再生する。
【００９６】
８．再生器２ｂは上記再生出力を、視聴者宅内ＬＡＮ６を介してＡＶ出力装置（ＴＶｍ）３に出力し、ＡＶ出力装置（ＴＶｍ）３は、伝送された再生出力（第１のＤＣ（ｋ）＋第２のＤＣ（ｋ）［更新済］）を表示する。
【００９７】
これにより、再生時には、スポンサーが用意した最新の第２のＤＣ（ｋ）を付随させた状態で、各視聴者宅１で再生させることが可能となる。
【００９８】
なお、再生装置２では、第１のＤＣとともに第２のＤＣ蓄積器２０ａに格納している第２のＤＣの更新要求を、定期的にコンテンツ管理装置２０に送信してもよい。そうすれば、コンテンツ管理装置２０では、第２のＤＣの更新要求を受信する毎に、最新の第２のＤＣの更新データを第２のＤＣ蓄積器２０ａから読み出して再生装置２に送信することができる。再生装置２では、第２のＤＣの更新データを受信する毎に、第１のＤＣ蓄積器２ａに格納している第２のＤＣ（第１のＤＣに含まれている）を最新の更新データで更新することができる。
【産業上の利用可能性】
【００９９】
本発明のデジタル情報コンテンツの配信システムは、視聴者宅に蓄積されたデジタル情報コンテンツに対しても経済的価値を維持させ、再生毎に最新の第２のＤＣをダウンロードして効果的な第２のＤＣ（ＣＭ）を視聴者に提供する方法として有用である。
【図面の簡単な説明】
【０１００】
【図１】本発明の実施の形態１、３のデジタル情報コンテンツの再生システムの概要図である。
【図２】実施の形態１のシステムにおける第２のＤＣの配信権利の売買市場システムを示す図である。
【図３】第２のＤＣの配信権利の売買市場システムの売買工程を示すフローチャートである。
【図４】スターカプラーを使用した視聴者宅内スター型光ＬＡＮの構成概要図である。
【図５】スイッチを使用した視聴者宅内スター型光ＬＡＮの構成概要図である。
【図６】本発明の実施の形態２のデジタル情報コンテンツの配信システムの概要図である。
【符号の説明】
【０１０１】
１  視聴者宅
２  再生装置
２ａ  第１のＤＣ蓄積器
２ｂ  再生器
２ｃ  通信器
３  ＡＶ出力装置
４  経済的価値管理装置
４ａ  経済的価値管理器
４ｂ  通信器
６  視聴者宅内ＬＡＮ
７  ＨＵＢ
８  ＧＷ
９  受信アンテナ
１０  放送局
１１  電波送信用アンテナ
１２  対応テーブル
１３インターネット
１４  権利売買市場公開データ
２０  コンテンツ管理装置
２０ａ  第２のＤＣ蓄積器
２０ｂ  通信器
３０  経済的価値管理装置
３０ａ  経済的価値管理器
３０ｂ  通信器
４０  売買管理装置
４０ａ  売買管理器
４０ｂ  通信器
４１  売買状況公開サーバ
４２  登録スポンサー候補管理サーバ
５０  注文管理装置
５０ａ  注文管理器
５０ｂ  通信器
【図１】
2005333453.tif 000003
【図２】
2005333453.tif 000004
【図３】
2005333453.tif 000005
【図４】
2005333453.tif 000006
【図５】
2005333453.tif 000007
【図６】
2005333453.tif 000008